(57)【要約】【課題】個人所有のスマートフォンを会社の内線端末として利用した場合でも、個人および会社における通話時に発生する通話料金を抑えることができ、しかも、操作の煩雑が解消できる技術を提供する。【解決手段】個人のスマートフォン（携帯電話機１）、デジタル電話交換機（ＩＰ−ＰＢＸ２）、複数の音声通信系統（電話回線網の経路）、を備えたＩＰ電話システムにおいて、スマートフォンは、内線端末として使用する際、個人が契約した契約プランおよび当該スマートフォンの無線環境に応じて、音声通信系統（電話回路網の経路）を切換え、制御する手段を設ける。【選択図】図１
2019115005.tif 000002
【特許請求の範囲】
【請求項１】
携帯電話機、デジタル電話交換機、無線ＡＰ、電話機、前記携帯電話機と前記デジタル電話交換機と前記無線ＡＰと前記電話機とを中継する携帯電話網を含む電話網およびインターネット網、を備えたＩＰ電話システムにおいて、
前記携帯電話機を内線端末として使用し、前記電話機へ発信操作を行ったとき、
前記携帯電話機が前記無線ＡＰに接続されている場合、
前記無線ＡＰの回線を経由して前記デジタル電話交換機に発信し、当該デジタル電話交換機を経由して前記電話機と通話を行う通信手段と、
前記無線ＡＰに未接続の場合、
前記携帯電話網の電話回線を使用した音声通信を利用して前記デジタル電話交換機、経由で発信し、前記電話機と通話を行う音声通信手段と、
前記携帯電話網の電話回線を使用したデータ通信を利用して前記デジタル電話交換機、経由で発信し、前記電話機と通話を行うデータ通信手段と、
前記音声通信手段と前記データ通信手段を切り替える制御手段と、を備え、
前記制御手段は、
前記無線ＡＰに未接続の場合、
前記インターネット網におけるＷＥＢサーバから契約プラン情報を取得し、発信方法を判定する判定手段と、
前記取得した契約プラン情報が通話無料プランの場合、
前記携帯電話網の携帯電話回線を使用した前記音声通信手段での通話に切り替え、
前記取得した契約プラン情報が所定時間通話無料プランの場合、
前記音声通信手段を利用して前記デジタル電話交換機、経由の発信を行い、当該音声通信手段での通話を行ってから所定時間経過前に前記データ通信手段での通話に切り替え、前記音声通信手段での通話を切断し、かつ、前記データ通信手段での通話に切替えた後、再度、前記音声通信手段を利用して前記デジタル電話交換機、経由で発信し、前記データ通信手段での通話を、前記音声通信手段での通話に切り替える通話切替制御手段と、
前記前記取得した契約プラン情報が通話有料プランの場合は、
前記発信操作を行ったときに前記データ通信手段を利用して発信先番号を含む発信指示を前記デジタル電話交換機へ通知し、当該デジタル電話交換機を介して発信先の前記電話機へ発信する手段を含み、
発信先の前記電話機からの応答を、前記デジタル電話交換機を介して受信したとき、前記デジタル電話交換機を経由して発信先の前記電話機と前記携帯電話機の音声パスを構成し、発信先の前記電話機と前記携帯電話機の間の通話を可能とする
ことを特徴とするＩＰ電話システム。
【請求項２】
移動通信制御局と無線ＡＰに帰属可能な携帯電話機において、
前記移動通信制御局と携帯電話網、ゲートウェイ、公衆電話網又はＩＰ電話網を介してデジタル電話交換機と音声通信を行う音声通信手段と、前記デジタル電話交換機は、インターネット網を介して、又は介さずに電話機と接続されており、
前記移動通信制御局と携帯電話網、ゲートウェイ、インターネット網を介して前記デジタル電話交換機とモバイルデータ通信を行うデータ通信手段と、
前記無線ＡＰと前記インターネット網を介して前記デジタル電話交換機とＷｉ−Ｆｉ通信を行うＷｉ−Ｆｉ通信手段と、
前記音声通信手段、前記データ通信手段、前記Ｗｉ−Ｆｉ通信手段を制御する電話制御手段と、
Ｗｉ−Ｆｉ接続状態監視手段と、
前記携帯電話網に接続される携帯電話機の契約プラン、通話料金、発信方法を規定した発信選択データを含む契約プラン情報をあらかじめ登録した情報記憶手段と、を備え、
前記電話制御手段は、
前記音声通信、前記モバイルデータ通信、前記Ｗｉ−Ｆｉ通信における発着通話に係る呼処理を行う呼制御部、音声データの処理を行う音声データ処理部、通信プロトコルが実装されている通信プロトコル処理部、前記インターネット網に存在するＷＥＢサーバから自携帯電話機の契約プラン情報を取得し、確認する契約情報確認部、を有し、
前記電話制御手段は、
前記携帯電話機の発信操作時に、前記Ｗｉ−Ｆｉ接続状態監視手段からＷｉ−Ｆｉ接続状態を取得し、前記Ｗｉ−Ｆｉ接続状態が接続状態中である場合、
前記Ｗｉ−Ｆｉ通信にて発信先の前記電話機へ発信し、
前記Ｗｉ−Ｆｉ接続状態が未接続状態である場合、
前記契約情報確認部にて、前記ＷＥＢサーバから契約情報を取得し、当該契約プラン情報と前記情報記憶手段の発信選択データを元に前記携帯電話機の発信方法を選択し、
前記契約プラン情報が通話無料プランの場合は、
前記携帯電話網の携帯電話回線を使用した前記音声通信手段を利用して発信、通話を行い、
前記契約プラン情報が所定時間通話無料プランの場合は、
発信処理前に発信先の前記電話機の電話番号を、前記データ通信手段を介して前記デジタル電話交換機へ送信し、かつ、
前記携帯電話網の携帯電話回線を使用した前記音声通信手段を利用して発信、通話を行い、
前記音声通信手段を利用して前記デジタル電話交換機、経由の発信を行い、当該音声通信手段での通話を行ってから所定時間経過前に前記データ通信手段での通話に切り替え、前記音声通信手段での通話を切断し、
前記データ通信手段での通話に切替えた後、再度、前記音声通信手段を利用して前記デジタル電話交換機、経由の発信を行って、前記音声通信手段を利用した通話に切り替える、
ことを特徴とする携帯電話機。
【請求項３】
外線ＩＦ部、ＷＡＮＩＦ部、回線交換部、内線情報保存部、発信先番号保存部、を備えたデジタル電話交換機において、
前記回線交換部は、
発信通話に掛かる呼処理を行う呼制御部、音声データの処理を行う音声データ処理部、通信プロトコルが実装されている通信プロトコル処理部、を有し、
前記回線交換部は、
公衆電話網、又はインターネット網を介して携帯電話機、又は電話機から着信した場合、着信情報に含まれる発信先番号を元に前記公衆電話網、又はインターネット網を介して発信先の携帯電話機、又は電話機へ発信し、
前記公衆電話網、又はインターネット網を介して携帯電話機、又は電話機から着信した場合、着信情報に含まれる発信先番号が自デジタル電話交換機の電話番号でかつ、前記発信先電話番号保存部に携帯電話機から受信した発信先電話番号が保存されている場合は、当該発信先電話番号へ発信し、
前記携帯電話機との間に２つの呼が存在している時に、前記携帯電話機からデータ切替要求メッセージを受信した場合は、当該データ切替要求メッセージに対するデータ切替応答メッセージを前記携帯電話機へ送信し、前記携帯電話機との通話相手へ送信している音声データを前記携帯電話機から受信している他の音声データに切り替え、通話相手へ送信しない音声データの呼を切断する
ことを特徴とするデジタル電話交換機。
【請求項４】
携帯電話機、デジタル電話交換機、無線ＡＰ、電話機、前記携帯電話機と前記デジタル電話交換機と前記無線ＡＰと前記電話機とを中継する携帯電話網を含む電話網およびインターネット網、を備えたＩＰ電話システムにおける通信方法において、
前記携帯電話機を内線端末として使用し、前記電話機へ発信操作を行ったとき、
前記携帯電話機が前記無線ＡＰに接続されている場合、
前記無線ＡＰの回線を経由して前記デジタル電話交換機に発信し、当該デジタル電話交換機を経由して前記電話機と通話を行う通信ステップと、
前記無線ＡＰに未接続の場合、
前記携帯電話網の電話回線を使用した音声通信を利用して前記デジタル電話交換機、経由で発信し、前記電話機と通話を行う音声通信ステップと、
携帯電話網の電話回線を使用したデータ通信を利用して前記デジタル電話交換機、経由で発信し、前記電話機と通話を行うデータ通信ステップと、
前記音声通信ステップと前記データ通信ステップを切り替える制御ステップと、を備え、
前記制御ステップは、
前記無線ＡＰに未接続の場合、
前記インターネット網に存在するＷＥＢサーバから契約プラン情報を取得し、発信方法を判定する判定処理ステップと、
前記取得した契約プラン情報が通話無料プランの場合、
前記携帯電話網の携帯電話回線を使用した前記音声通信ステップでの通話に切り替える処理ステップと、
前記取得した契約プラン情報が所定時間通話無料プランの場合、
前記音声通信を利用して前記デジタル電話交換機、経由の発信を行い、当該音声通信での通話を行ってから所定時間経過前に前記データ通信での通話に切り替え、前記音声通信での通話を切断し、かつ、前記データ通信での通話に切替えた後、再度、前記音声通信を利用して前記デジタル電話交換機、経由で発信し、前記データ通信での通話を、前記音声通信での通話に切り替える処理ステップと、
前記前記取得した契約プラン情報が通話有料プランの場合は、
前記発信操作を行ったときに前記データ通信を利用して発信先番号を含む発信指示を前記デジタル電話交換機へ通知し、当該デジタル電話交換機を介して発信先の前記電話機へ発信する処理ステップを含み、
発信先の前記電話機からの応答を、前記デジタル電話交換機を介して受信したとき、前記デジタル電話交換機を経由して発信先の前記電話機と前記携帯電話機の音声パスを構成し、前記発信先の電話機と前記携帯電話機の間の通話を可能とする
ことを特徴とする通信方法。
【発明の詳細な説明】
【技術分野】
【０００１】
本発明は、ＩＰ電話システム、ＩＰ電話システムに対応する携帯電話機およびデジタル電話交換機（ＩＰ−ＰＢＸ）に係り、特に携帯電話機とデジタル電話交換機と内線電話機間の通信技術に関する。
【背景技術】
【０００２】
近年、スマートフォンやクラウド型ＩＰ−ＰＢＸサービスの普及に伴い、個人所有のスマートフォンなどを会社の内線端末として業務利用する企業が増えてきている。しかし、個人所有のスマートフォンなどを会社の内線端末として利用する場合、通話料金やデータ通信料金が個人の携帯電話に課金されてしまい、個人の金銭的負担が大きくなる課題があった。
この問題を解決する技術として、特開２００８−８５８１７号公報（特許文献１）がある。この文献には、「コールバック対象となる電話番号が登録される記憶手段と、この記憶手段に登録された電話番号を発信者とする着信呼に対して、その着信呼が所定時間以内に呼放棄された場合にはその発信者に折り返し自動発信を行うコールバック手段と、この折り返し自動発信に応答した発信者からのダイヤルトーン信号を受信し、そのダイヤルトーン信号に従って前記発信者が接続された電話回線とは別の電話回線で中継発信を行い、中継発信先が応答したときには、その中継発信先と前記発信者との音声パスを接続する中継発信手段とを備えた電話装置において、前記中継発信手段は、前記折り返し自動発信に応答した発信者の電話機に中継発信に関する音声ガイダンスを送る手段を含むことを特徴とする電話装置」との記載がある。つまり、発信者から事業所の電話装置に電話をかけて所定時間内に呼を放棄し、事業所の電話装置が折り返し発信者へ電話をかけて発信者が応答し、発信者が中継発信する技術である。
係る技術によれば、個人所有のスマートフォンを会社の内線端末として利用しても、通話料金が個人の携帯電話に課金されないため個人の金銭的負担にならない、と言う効果がある。
【先行技術文献】
【特許文献】
【０００３】
【特許文献１】特開２００８−８５８１７号公報
【発明の概要】
【発明が解決しようとする課題】
【０００４】
しかし、特許文献１に開示された技術では、個人所有のスマートフォンで発信を行う場合、会社の事業所に設置された電話機を含む電話装置において、発信元（発信者）、発信先（相手先）の両方と発信、通話を行わなければならない。このため、電話装置を管理する会社が負担する通話料金が倍かかる問題がある。さらに、スマートフォンのユーザは、一旦事業所の電話番号へダイヤルした後に、再度、相手先へダイヤルしなければならず、その操作が煩雑である。
そこで、本発明では、個人所有のスマートフォン（以下、携帯電話機と呼称する場合もある。）を会社の内線端末として利用した場合でも、個人および会社における通話時に発生する通話料金を抑えることができ、しかも、操作の煩雑が解消できる技術を提供することを目的とする。
【課題を解決するための手段】
【０００５】
上記課題を解決するために、本発明では、個人の電話機能を有する携帯端末（以下、携帯電話機と称する）、デジタル電話交換機（ＩＰ−ＰＢＸと呼称する場合もある。）、複数の音声通信系統（電話回線経路網）、を備えたＩＰ電話システムにおいて、携帯電話機を内線端末として使用する際、個人が契約した契約プランおよび当該携帯電話機の無線環境、例えば、電話料金が無料や５分間無料などに応じて、通信系統（経路）を切換える制御手段を設ける。
【０００６】
例えば、代表的な本発明のＩＰ電話システム、ＩＰ電話システムに対応する携帯電話機およびデジタル電話交換機、並びに通信方法の一つは、
携帯電話機、デジタル電話交換機、無線ＡＰ、電話機、前記携帯電話機と前記デジタル電話交換機と前記無線ＡＰと前記電話機とを中継する携帯電話網を含む電話網およびインターネット網、を備えたＩＰ電話システムにおいて、
前記携帯電話機を内線端末として使用し、前記電話機へ発信操作を行ったとき、
前記携帯電話機が前記無線ＡＰに接続されている場合、
前記無線ＡＰの回線を経由して前記デジタル電話交換機に発信し、当該デジタル電話交換機を経由して前記電話機と通話を行う通信手段と、
前記無線ＡＰに未接続の場合、
前記携帯電話網の電話回線を使用した音声通信を利用して前記デジタル電話交換機経由で発信し、前記電話機と通話を行う音声通信手段と、
携帯電話網の電話回線を使用したデータ通信を利用して前記デジタル電話交換機経由で発信し、前記電話機と通話を行うデータ通信手段と、
前記音声通信手段と前記データ通信手段を切り替える制御手段と、を備え、
前記制御手段は、
前記無線ＡＰに未接続の場合、
前記インターネット網に存在するＷＥＢサーバから契約プラン情報を取得し、発信方法を判定する判定手段と、
前記取得した契約プラン情報が通話無料プランの場合、
前記音声通信手段での通話に切り替え、前記取得した契約プラン情報が所定時間通話無料プランの場合、所定時間経過前に、前記音声通信手段での通話経路を、前記データ通信手段での通話に切り替え、かつ、前記データ通信手段での通話に切替えた後、再度、前記音声通信手段を利用して前記デジタル電話交換機、経由で発信し、前記データ通信手段での通話を、前記音声通信手段での通話に切り替える通話切替制御手段と、
前記取得した契約プラン情報が前記以外の通話有料プランの場合は、
前記発信操作を行ったときに前記データ通信手段を利用して発信先番号を含む発信指示を前記デジタル電話交換機へ通知し、当該デジタル電話交換機を介して前記発信先の電話機へ発信する手段を含み、
前記発信先の電話機からの応答を、前記デジタル電話交換機を介して受信したとき、前記デジタル電話交換機を経由して前記発信先の電話機と前記携帯電話機の音声パスを構成し、前記発信先の電話機と前記携帯電話機間の通話を可能とする
ことを特徴とする。
【発明の効果】
【０００７】
本発明によれば、個人で所有するスマートフォンなどの携帯電話機を会社の内線端末として使用しても、個人および会社における通話時に発生する通話料金を抑えることができ、しかも、操作の煩雑が解消できる。
上記した以外の課題および効果は、以下の実施形態の説明により明らかである。
【図面の簡単な説明】
【０００８】
【図１】図１は、本発明の携帯電話機とＩＰ−ＰＢＸを含んだＩＰ電話システムの一構成例を示すブロック図である。
【図２】図２は、本発明の携帯電話機の構成を示す機能ブロック図である。
【図３】図３は、本発明のＩＰ−ＰＢＸの構成を示す機能ブロック図である。
【図４Ａ】図４Ａは、本発明のＩＰ電話システムにおける携帯電話機の通話料金が５分間無料時の発信動作を説明するシーケンス図であって、携帯電話機の電源投入時から通話監視タイマー起動時までの処理を示すシーケンス図である。
【図４Ｂ】図４Ｂは、本発明のＩＰ電話システムにおける携帯電話機の通話料金が５分間無料時の発信動作を説明するシーケンス図であって、電話応答時から電話切断時までの処理を説明するシーケンス図である。
【図４Ｃ】図４Ｃは、本発明のＩＰ電話システムにおける携帯電話機の通話料金が５分間無料時の発信動作を説明するシーケンス図であって、電話発信時からＳＩＰ切断時までの処理を説明するシーケンス図である。
【図５】図５は、本発明のＩＰ電話システムにおける通話監視タイマー満了後、通話が無音状態中に音声パスを切り替える動作を説明するシーケンス図である。
【図６Ａ】図６Ａは、本発明のＩＰ電話システムにおける携帯電話機の通話料金が有料時の発信動作を説明するシーケンス図であって、携帯電話機の電源投入時から電話機のＳＩＰ応答までの処理を説明するシーケンス図である。
【図６Ｂ】図６Ｂは、本発明のＩＰ電話システムにおける携帯電話機の通話料金が有料時の通話中に、モバイル音声通信における通話中からＷｉ−Ｆｉ通信における通話中に切り替える動作を説明するシーケンス図であって、電話発信応答から電話切断までの処理を説明するシーケンス図である。
【図７Ａ】図７Ａは、本発明のＩＰ電話システムにおいて携帯電話機がＷｉ−Ｆｉ通信でＩＰ−ＰＢＸを介して電話機と通話状態にＷｉ−Ｆｉの電波強度が低下した場合におけるシーケンス図であって、Ｗｉ−Ｆｉ通信における通話中からモバイル音声通信における通話中までの処理を説明するシーケンス図である。
【図７Ｂ】図７Ｂは、本発明のＩＰ電話システムにおいて携帯電話機がＷｉ−Ｆｉ通信でＩＰ−ＰＢＸを介して電話機と通話状態にＷｉ−Ｆｉの電波強度が低下した場合におけるシーケンス図であって、携帯電話機の切替要求からＳＩＰ切断処理後のモバイル音声通信における通話中までの処理を説明するシーケンス図である。
【図８】図８は、発信方法選択テーブルのデータ構成を説明する図である。
【発明を実施するための形態】
【０００９】
以下、本発明の実施形態について図面を用いて説明する。本実施形態では、例えば、個人で所有する携帯電話機として、スマートフォンなどの携帯端末を会社の内線端末として使用するものとして説明する。
【００１０】
本発明のＩＰ電話システムは、携帯電話機１に電源投入し、発信操作時に携帯電話機１が無線ＡＰ８に接続されている場合には、無線ＡＰ８のインターネット回線を経由して、ＩＰ−ＰＢＸ２にアクセスし、発信通話を行う。
無線ＡＰ８に未接続の場合には、ＷＥＢサーバ１０から契約プラン情報を取得し、契約プラン情報を参照して、以下のような通話制御を行う。
例えば、契約プラン情報が無制限で通話料金が無料の通話無料プランの場合は、携帯電話回線を使用して音声通信し、５分間通話無料プランの場合は、音声通信を利用してＩＰ−ＰＢＸ２経由で発信し、５分間経過前に携帯電話回線を使用したデータ通信での通話に切り替えて、音声通信を切断する。
音声通信の切替え後は、再度音声通信を利用してＩＰ−ＰＢＸ２経由の発信を行い、音声通信での通話に切り替え、データ通信での通話を切断し、前記発信、前記通話の切断の動作を繰り返す。
また、上記以外の通話有料プランの場合は、発信操作時にデータ通信を利用してＩＰ−ＰＢＸ２へ発信先番号を含む発信指示を通知し、当該発信指示を受信したＩＰ−ＰＢＸ２は、発信指示に格納された発信先番号を元に発信先の電話機９へ発信し、発信先の電話機９から応答があれば、直ぐに携帯電話機１へ発信し、携帯電話機１が自動で応答してＩＰ−ＰＢＸ２側で発信先の電話機９と携帯電話機１の音声パスを通すことで発信先と通話を可能とする。
以下、その実施例について説明する。
【実施例】
【００１１】
図１は、本発明の携帯電話機１とＩＰ−ＰＢＸ２を含んだＩＰ電話システムの一構成例を示すブロック図である。
【００１２】
携帯電話機１は、移動通信制御局７と無線ＡＰ（Wireless LAN access point）８に帰属可能な端末であり、例えば、電話機能を有するスマートフォンであり、移動通信制御局７と携帯電話網４、ゲートウェイ６、公衆電話網３を介してＩＰ−ＰＢＸ２とモバイル音声通信（通話）を行う機能と、移動通信制御局７と携帯電話網４、ゲートウェイ６、インターネット網５を介してＩＰ−ＰＢＸ２とモバイルデータ通信（通話）を行う機能と、無線ＡＰ８とインターネット網５を介してＩＰ−ＰＢＸ２とＷｉ−Ｆｉ通信（通話）を行う機能を有する。
【００１３】
ここで、モバイル音声通信とは、携帯電話回線を使用し、回線交換方式を用いた音声通信のことであり、モバイルデータ通信とは、携帯電話回線を使用し、パケット通信方式を用いたデータ通信のことである。
又、Ｗｉ−Ｆｉ通信とは、無線ＡＰに接続して行う無線ＬＡＮ（Local Aria Network）通信のことである。
【００１４】
又、携帯電話機１は、ＳＩＰ（Session Initiation Protocol）クライアント機能を具備しており、移動通信制御局７と携帯電話網４、ゲートウェイ６、インターネット網５の経路を介したモバイルデータ通信、若しくは無線ＡＰ８とインターネット網５の経路を介したＷｉ−Ｆｉ通信を利用してＩＰ−ＰＢＸ２に接続する。
携帯電話機１とＩＰ−ＰＢＸ２とのセッションにはＳＩＰが用いられる。
【００１５】
ＩＰ−ＰＢＸ２は、Ｂ２ＢＵＡ（Back-to-Back User Agent）で動作するＳＩＰサーバ機能を具備したＩＰ−ＰＢＸであり、公衆電話網３と接続されている。又、図示していないが、ルーター等を介してインターネット網５とも接続されている。
ＩＰ−ＰＢＸ２は、インターネット網５を介して電話機９、公衆電話網３、又はインターネット網５を介して携帯電話機１と通信を行う機能を有する。
【００１６】
なお、ＩＰ−ＰＢＸ２は、公衆電話網３ではなく、代わりにＩＰ電話網に接続して携帯電話機１と通信を行っても良い。
【００１７】
公衆電話網３は、固定電話回線の電話網のことであり、携帯電話網４は、携帯電話回線の電話網のことである。
インターネット網５は、ＴＣＰ（Transmission Control Protocol）／ＩＰ（Internet Protocol）プロトコルによって結ばれているネットワークのことである。
【００１８】
ゲートウェイ６は、携帯電話網４、公衆電話網３、インターネット網５、の間をつなぐ装置である。携帯電話網４と公衆電話網３間にあるゲートウェイ６は、中継・関門交換機として機能する。
【００１９】
移動通信制御局７は、携帯電話機１が接続する携帯電話事業者が設置した無線基地局（基地局ともいう）のことである。
【００２０】
無線ＡＰ８は、携帯電話機１が接続する無線ＬＡＮアクセスポイント（Wireless LAN access point）のことである。
【００２１】
電話機９は、ルーター等を介してインターネット網５に接続し、当該インターネット網５を介してＩＰ−ＰＢＸ２に接続する内線電話機である。電話機９は、インターネット網５を介さずにＩＰ−ＰＢＸ２に直接接続されていても良い。
【００２２】
ＷＥＢサーバ１０は、インターネット網５上に存在する携帯電話キャリアの各社が提供しているサーバであり、契約者がＷＥＢサーバ１０にアクセスすることで、携帯電話機１を所有するユーザの契約プランや請求情報などの契約内容を確認できる。
【００２３】
図２は、本発明の携帯電話機１の構成を示す機能ブロック図である。
携帯電話機１は、無線通信部１００、無線ＬＡＮ通信部１０１、モバイル音声通信処理部１０２、モバイルデータ通信処理部１０３、電話制御部１０４、Ｗｉ−Ｆｉ接続状態監視部１０９、無音監視部１１０、タイマー部１１１、情報記憶部１１２、マンマシンＩＦ部１１３、を有する。
【００２４】
無線通信部１００は、無線基地局を含む移動通信制御局７との間で接続処理を行い、当該移動通信制御局７を介してＩＰ−ＰＢＸ２とデータの送受信を行う。通信方法（通信手段）としては、モバイルデータ通信（データ通信手段）、又は、モバイル音声通信（音声通信手段）を用いる。
【００２５】
移動通信制御局７から受信したモバイル音声通信における音声データは、モバイル音声通信処理部１０２へ送信し、移動通信制御局７から受信したモバイルデータ通信におけるパケットデータは、モバイルデータ通信処理部１０３へ送信する。
【００２６】
無線ＬＡＮ通信部１０１は、無線ＡＰ８との間で接続処理を行い、当該無線ＡＰ８を介してＩＰ−ＰＢＸ２とデータの送受信を行う。通信方法（通信手段）としてはＷｉ−Ｆｉ通信（Ｗｉ−Ｆｉ通信手段）を用いる。
【００２７】
モバイル音声通信処理部１０２は、無線通信部１００から受信するモバイル音声通信のデータを電話制御部１０４へ送信し、電話制御部１０４から受信したデータをモバイル音声通信のデータとして無線通信部１００へ送信する。
【００２８】
モバイルデータ通信処理部１０３は、無線通信部１００から受信するモバイルデータ通信のパケットデータを電話制御部１０４へ送信し、電話制御部１０４から受信したデータをモバイルデータ通信のパケットデータとして無線通信部１００へ送信する。
【００２９】
電話制御部１０４は、発着信通話に係わる呼処理を行う呼制御部１０５、音声データの処理を行う音声データ処理部１０６、ＳＩＰの通信プロトコルが実装されているＳＩＰ処理部１０７、インターネット網５上に存在するＷＥＢサーバ１０から自携帯電話機の契約プラン情報を取得するキャリア契約情報確認部１０８が実装されている。
【００３０】
電話制御部１０４は、発信操作時にＷｉ−Ｆｉ接続状態監視部１０９からＷｉ−Ｆｉ接続状態を取得し、Ｗｉ−Ｆｉ接続状態が接続中であれば、無線ＬＡＮ通信部１０１を介したＷｉ−Ｆｉ通信にて発信先の電話機９へ発信する。
【００３１】
Ｗｉ−Ｆｉ接続状態が未接続であれば、自携帯電話機の契約プラン情報の取得をキャリア契約情報確認部１０８へ指示し、キャリア契約情報確認部１０８が取得した自携帯電話機の契約プラン情報と、例えば、図８に示す発信方法選択テーブルのデータ（契約プラン、通話料金、発信方法、など）を元に発信方法を選択する。発信方法選択テーブルのデータ構成は後述する。
【００３２】
又、電話制御部１０４は、キャリア契約情報確認部１０８が取得した自携帯電話機の契約プラン情報が、例えば、無制限で通話料金が無料の「通話無料プラン」の場合は、携帯電話網４の携帯電話回線を使用したモバイル音声通信を利用して発信、通話を行う。
【００３３】
所定時間、例えば、５分間通話料金が無料の「５分間通話無料プラン」の場合は、発信処理前に通話相手である発信先の電話番号をＳＩＰパケットに格納した発信先番号通知をモバイルデータ通信処理部１０３と無線通信部１００を介してＩＰ−ＰＢＸ２へ送信する。
電話制御部１０４は、ＩＰ−ＰＢＸ２とモバイル音声通信、モバイルデータ通信、Ｗｉ−Ｆｉ通信の内２系統の通信方法で通話している場合、発信先の通話相手（電話機９）の宛先へ送信する音声データ切替えを要求する切替要求メッセージをＳＩＰ処理部１０７でＳＩＰパケット内に格納し、モバイルデータ通信処理部１０３、又は、無線ＬＡＮ通信部１０１を介してＩＰ−ＰＢＸ２へ送信する。
【００３４】
契約プラン情報が上述した以外のプラン（通話有料プラン）の場合は、発信操作時にデータ通信を利用して発信先番号を含む発信指示（ＲＲＦＥＲリクエストメッセージ）をＩＰ−ＰＮＸ２へ通知し、ＩＰ−ＰＢＸ２を介して電話機９へ発信する。
【００３５】
発信先の電話機９からの応答（２０２Ａｃｃｅｐｔｅｄレスポンスメッセージ）を、ＩＰ−ＰＢＸ２を介して受信したとき、ＩＰ−ＰＢＸ２を経由して発信先の電話機９と携帯電話機１の音声パスを構成し、発信先の電話機９と携帯電話機１間の通話を可能とする。
【００３６】
呼制御部１０５は、携帯電話機１の一般的な電話機能に関する呼処理のデータをモバイル音声通信処理部１０２との間で送受信し、ＳＩＰを利用した電話機能に関する呼処理のデータを、ＳＩＰ処理部１０７を介して、モバイルデータ通信処理部１０３、又は無線ＬＡＮ通信部１０１と送受信する。
【００３７】
音声データ処理部１０６は、ＲＴＰ（Real-time Transport Protocol）／ＲＴＣＰ（RT Control Protocol）の通信プロトコルが実装されており、無音監視部１１０に対して入出力されるアナログ音声信号と、モバイル音声通信処理部１０２、モバイルデータ通信処理部１０３、無線ＬＡＮ通信部１０１に対して送受信されるデジタル音声信号との間で符号・復号化を行う。
【００３８】
モバイルデータ通信処理部１０３、無線ＬＡＮ通信部１０１との間ではデジタル音声信号はＲＴＰパケットに格納して送受信を行う。
【００３９】
キャリア契約情報確認部１０８は、ＨＴＴＰ（Hypertext Transfer Protocol）／ＨＴＴＰＳ（Hypertext Transfer Protocol Secure）の通信プロトコルが実装されており、電話制御部１０４の指示により、モバイルデータ通信処理部１０３を介して、ＷＥＢサーバ１０へアクセスし、自携帯電話機の契約プラン情報を取得する。
【００４０】
Ｗｉ−Ｆｉ接続状態監視部１０９は、電話制御部１０４、又は、タイマー部１１１からの指示により、無線ＡＰ８への接続状態を無線ＬＡＮ通信部１０１へ問合せ、問合せた結果を電話制御部１０４へ通知、又は、情報記憶部１１２へ保存する。
【００４１】
無音監視部１１０は、マンマシンＩＦ部１１３と音声データ処理部１０６の間で送受信される音声データを中継する。
又、電話制御部１０４からの指示により、マンマシンＩＦ部１１３と音声データ処理部１０６より受信する音声データが無音のデータであるかを監視する。そして、一定時間、マンマシンＩＦ部１１３と音声データ処理部１０６より受信する音声データが両方共無音であるならば、通話が無音状態であることを電話制御部１０４へ通知し、音声データの監視を停止する。タイマー部１１１からの指示からでも音声データの監視を停止する。
【００４２】
タイマー部１１１は、電話制御部１０４からの指示により指定されたタイマーを起動し、タイマーが所定の時間を経過（満了）したならば、無音監視部１１０、又は、電話制御部１０４、Ｗｉ−Ｆｉ接続状態監視部１０９へタイマー部１１１が満了したことを通知する。
【００４３】
情報記憶部１１２は、電話制御部１０４、又はＷｉ−Ｆｉ接続状態監視部１０９から受信した情報を記憶するメモリである。
【００４４】
マンマシンＩＦ部１１３は、マンマシンインタフェース部であり、オン・オフフック、ダイヤルボタン、ラインキー等のキースキャン、表示、送受話器やマイクスピーカなどの音声入出力機能を実現する。
【００４５】
図３は、本発明のＩＰ−ＰＢＸ２の構成を示す機能ブロック図である。
ＩＰ−ＰＢＸ２は、外線ＩＦ部２００、ＷＡＮＩＦ部２０１、回線交換部２０２、内線情報保存部２０６、発信先番号保存部２０７、を有する。
【００４６】
外線ＩＦ部２００は、公衆電話網３を介して、携帯電話機１とデータの送受信を行う。
【００４７】
ＷＡＮＩＦ部２０１は、ルーター等を介してインターネット網５に接続し、インターネット網５を介して、携帯電話機１、又は電話機９とデータの送受信を行う。
【００４８】
回線交換部２０２は、発着信通話に係わる呼処理を行う呼制御部２０３、音声データの処理を行う音声データ処理部２０４、ＳＩＰの通信プロトコルが実装されているＳＩＰ処理部２０５が実装されている。
【００４９】
回線交換部２０２は、公衆電話網３、又は、インターネット網５を介して携帯電話機１、又は、電話機９から着信した場合、着信情報の中の発信先番号を元に公衆電話網３、又は、インターネット網５を介しては発信先へ発信する。
【００５０】
その後、発信先から応答を受信した場合は、着信先へ応答し、着信先から受信する音声データを発信先が接続する回線のデータ形式へ変換して発信先へ送信し、発信先から受信する音声データを着信先が接続する回線のデータ形式へ変換して送信する。
【００５１】
回線交換部２０２は、公衆電話網３、又は、インターネット網５を介して携帯電話機１から着信した場合であって、着信情報の中の発信先番号が自装置宛の電話番号で且つ、発信先番号保存部２０７に携帯電話機１から受信した発信先番号が保存されている場合は、発信先番号保存部２０７に保存されている発信先番号へ発信し、発信先番号保存部２０７に保存されている携帯電話機１の発信先番号を削除する。
【００５２】
回線交換部２０２は、携帯電話機１との間に２つの呼が存在している時にＷＡＮＩＦ部２０１を介して携帯電話機１から切替要求メッセージを受信した場合は、切替要求応答メッセージを携帯電話機１へ送信し、携帯電話機１との通話相手へ送信している音声データを携帯電話機１から受信しているもう一つの音声データを切り替えて、通話相手へ送信しない音声データの呼を切断する。
【００５３】
呼制御部２０３は、固定電話機の一般的な電話機能に関する呼処理のデータを外線ＩＦ部２００と公衆電話網３を介して携帯電話機１との間で送受信し、ＳＩＰを利用した電話機能に関する呼処理のデータを、ＳＩＰ処理部２０５を用いて、ＷＡＮＩＦ部２０１とインターネット網５を介して携帯電話機１、又は、電話機９と送受信する。
【００５４】
音声データ処理部２０４は、外線ＩＦ部２００、又は、ＷＡＮＩＦ部２０１を介して受信した発信先からの音声データを外線ＩＦ部２００、又は、ＷＡＮＩＦ部２０１を介して着信先へ送信する。
【００５５】
内線情報保存部２０６は、回線交換部２０２がインターネット網５を介してＳＩＰの登録処理を行ってきた携帯電話機１又は、電話機９の内線番号、ロケーション情報等を内線情報保存部２０６に保存する。
【００５６】
発信先番号保存部２０７は、携帯電話機１からＷＡＮＩＦ部２０１とインターネット網５を介して受信した発信先番号通知の中から取得した発信先番号を、発信先番号通知を送信した携帯電話機１の内線番号と共に保存される。
【００５７】
図４（Ａ）〜図４（Ｃ）は、本発明のＩＰ電話システムにおける携帯電話機の通話料金が５分間無料時の発信動作を説明するシーケンス図である。図４（Ａ）〜図４（Ｃ）のシーケンス図に基づく動作は以下のとおりである。
【００５８】
まず、携帯電話機１の電源を投入すると、携帯電話機１は、移動通信制御局７との間でモバイルデータ通信接続処理を実施し、移動通信制御局７との間に通信パスを確立する（Ｓ３００）。
【００５９】
併せて、無線ＡＰ８からビーコンを受信できている場合は、無線ＡＰ８に接続するためのＷｉ−Ｆｉ通信接続処理を実施する。本例では、ビーコンを受信できずにＷｉ−Ｆｉ通信接続処理が失敗していることを示している（Ｓ３０１）。
【００６０】
次に、携帯電話機１は、Ｓ３０２でＩＰ−ＰＢＸ２のＳＩＰサーバへの登録、ＳＩＰ（Session Initiation Protocol）の発信に係わるＳＩＰ登録処理を行う。
Ｓ３０２によるＳＩＰサーバ登録処理後に、携帯電話機１から発信操作が行われた場合は、まず、電話機９の電話番号を情報記憶部１１２へ記憶する（Ｓ３０３）。
【００６１】
発信先の電話番号を情報記憶部１１２へ記憶した後、携帯電話機１は、自端末（自携帯電話機１）のＷｉ−Ｆｉ接続状態を確認する（Ｓ３０４）。
【００６２】
このとき、Ｗｉ−Ｆｉ接続状態が未接続であるならば、自携帯電話機１の契約プラン情報を取得するためにモバイルデータ通信を利用し、契約プラン情報要求メッセージを移動通信制御局７、ゲートウェイ６を経由して契約キャリアのＷＥＢサーバ１０へ送信する（Ｓ３０５）。
なお、発信時に契約プラン情報を取得するのではなく、別のタイミング（例えばＳＩＰ登録処理後等）に契約プラン情報を取得し、発信時は別のタイミングに取得した契約プラン情報を参照するだけでも良い。
【００６３】
Ｗｉ−Ｆｉが接続している場合は、通信料金のかからない無線ＡＰ８を経由した通信が使用可能なため、発信操作時は無線ＡＰ８を経由したＷｉ−Ｆｉ通信を利用してＩＰ−ＰＢＸ２との間でＳＩＰ（Session Initiation Protocol）の発信に係わるＳＩＰ登録処理を行う。
なお、このシステムの一例では、呼制御プロトコルとしてＳＩＰを利用しているが他のプロトコルを利用しても良い。
【００６４】
契約プラン情報要求メッセージを受信したキャリアのＷＥＢサーバ１０は、契約プラン情報が格納された契約プラン情報通知メッセージをゲートウェイ６、移動通信制御局７を経由して携帯電話機１へ送信する（Ｓ３０６）。
【００６５】
携帯電話機１は、ＷＥＢサーバ１０から契約プラン情報通知メッセージを携帯電話機１が受信したならば、受信した契約プラン情報（「通話無料プラン」、「５分間通話無料プラン」、「有料プラン」などの契約プラン）と図８に示す発信方法選択テーブル（「契約プラン」、「通話料金」、「発信方法」）から契約プラン情報に対応する発信方法（「携帯電話網のモバイル音声通信を用いた発信方法」、「携帯電話網のモバイル音声通信とデータ通信の両方を用いた発信方法」、「IP-PBXへ自端末への発信を指示する発信方法」など）を判定する（Ｓ３０７）。
ここでは、契約プラン情報が「５分間通話無料プラン」（通話料金５分間無料プラン）であったとし、発信方法が「携帯電話網のモバイル音声通信とデータ通信の両方を用いた発信方法」が選択されたこととする。
【００６６】
仮に、契約プラン情報が「通話無料プラン」（無制限で通話料金が無料のプラン）であった場合は、携帯電話回線を利用した一般的な発信方法「携帯電話網のモバイル音声通信を用いた発信方法」で発信し、契約プラン情報が「通話有料プラン」（通話料金が有料のプラン）であった場合は「IP-PBXへ自端末への発信を指示する発信方法（図６記載の発信方法）」で発信する。
又、契約プラン情報通知メッセージを受信できなかった場合は、前回発信した方法と同一の方法で発信し、一番最初の発信であれば「IP-PBXへ自端末への発信を指示する発信方法」を選択する。
【００６７】
「携帯電話網のモバイル音声通信とデータ通信両方を用いた発信方法」が選択された場合は、モバイルデータ通信を利用して電話機９の電話番号をＳＩＰパケットに格納した発信先番号通知を移動通信制御局７、ゲートウェイ６を介してＩＰ−ＰＢＸ２へ送信する（Ｓ３０８）。
【００６８】
発信先番号通知を受信したＩＰ−ＰＢＸ２は、発信先番号通知の中から電話機９の電話番号を取り出し、電話機９の電話番号と携帯電話機１の内線番号を紐付けて発信先番号保存部２０７へ保存する（Ｓ３０９）。
【００６９】
ＩＰ−ＰＢＸ２は、電話機９の電話番号を発信先番号保存部２０７に保存した後、発信先番号を受領したことを示す発信先番号受領通知メッセージを携帯電話機１へ送信する（Ｓ３１０）。
【００７０】
発信先番号受領通知メッセージを受信した携帯電話機１は、ＩＰ−ＰＢＸ２との間でモバイル音声通信を利用して携帯電話機１の発信に係る携帯電話発信処理を移動通信制御局７とゲートウェイ６を介して行う（Ｓ３１１）。この時の発信先番号は、電話機９ではなくＩＰ−ＰＢＸ２である。
【００７１】
ＩＰ−ＰＢＸ２は、公衆電話網３に接続しているため、ゲートウェイ６とＩＰ−ＰＢＸ２間は固定電話の発信に係る固定電話発信処理になる（Ｓ３１３）。
【００７２】
携帯電話機１は、Ｓ３１１における携帯電話発信処理後、監視タイマーが例えば、４分３０秒の通話監視時間に設定されたタイマー部１１１を起動する（Ｓ３１２）。
なお、通話の監視を行うタイマー部１１１の監視タイマー時間は５分未満であれば、何秒でもよい。
【００７３】
携帯電話機１との間で発信処理を行ったＩＰ−ＰＢＸ２は、発信先番号保存部２０７を参照し、携帯電話機１から受信した電話機９の電話番号が保存されているため、電話機９との間でＳＩＰの発信に係わるＳＩＰ処理を行う（Ｓ３１４）。
なお、ここでは、内線端末である電話機９へ発信しているが、発信先は外線の電話機でも問題ない。
【００７４】
その後、電話機９が応答したならば、電話機９とＩＰ−ＰＢＸ２との間でＳＩＰの応答に係わるＳＩＰ処理が行い（Ｓ３１５）、音声データを送受信する。
【００７５】
ＩＰ−ＰＢＸ２は、電話機９と応答処理を行った後、携帯電話機１との間で固定電話および携帯電話の応答に係る応答処理を行い（Ｓ３１６、Ｓ３１７）、モバイル音声通信で音声データを送受信する。
【００７６】
ＩＰ−ＰＢＸ２は、携帯電話機１、電話機９の両方と通話状態になったならば、携帯電話機１から受信した音声データを電話機９へ、電話機９から受信した音声データを携帯電話機１へ送信する（モバイル音声通信による通話中）。
【００７７】
その後、携帯電話機１が起動したタイマー部１１１による通話監視タイマー時間が満了したならば（Ｓ３１８）、携帯電話機１は、モバイルデータ通信を用いて、ＩＰ−ＰＢＸ２との間でＳＩＰの発信〜応答に係わるＳＩＰ発信・応答処理を行い（Ｓ３１９）、モバイルデータ通信でも音声データを送受信する。
つまり、このとき、携帯電話機１とＩＰ−ＰＢＸ２間は、モバイル音声通信での通話とモバイルデータ通信での通話、の２つの系統による通話可能状態にある。この時の発信先番号はＩＰ−ＰＢＸ２である。
【００７８】
携帯電話機１がモバイル音声通信とモバイルデータ通信の両方でＩＰ−ＰＢＸ２と通話状態になったならば、電話機９へ送信する音声データの切替を要求する切替要求メッセージをＩＰ−ＰＢＸ２へ送信する（Ｓ３２０）。
【００７９】
切替要求メッセージを受信したＩＰ−ＰＢＸ２は、切替要求メッセージを受信したことを相手へ伝える切替要求応答メッセージを携帯電話機１へ送信し（Ｓ３２１）、電話機９から受信している音声データを携帯電話機１のモバイルデータ通信側へ送信し、携帯電話機１のモバイルデータ通信側から受信している音声データを電話機９へ送信するように音声パスを切り替える。
つまり、モバイル音声通信での呼（モバイル音声通信での通話中）をモバイルデータ通信での呼（モバイルデータ通信での通話中）に切り替える。
【００８０】
音声パスを切替えた後、ＩＰ−ＰＢＸ２は、携帯電話機１との間でゲートウェイ６、移動通信制御局７を介して固定電話、携帯電話の切断に係る固定電話切断処理および携帯電話切断処理を行う（Ｓ３２２、Ｓ３２３）。
【００８１】
モバイル音声通信の呼を切断された携帯電話機１は、再度、ＩＰ−ＰＢＸ２との間でモバイル音声通信を利用して携帯電話機１の発信に係る発信処理（携帯電話発信処理）を移動通信制御局７とゲートウェイ６を介して行う（Ｓ３２４）。この時の発信先番号はＩＰ−ＰＢＸ２である。
【００８２】
ＩＰ−ＰＢＸ２は、公衆電話網３に接続しているため、ゲートウェイ６とＩＰ−ＰＢＸ２の間は固定電話の発信に係る固定電話発信処理になる（Ｓ３２６）。
【００８３】
携帯電話機１は、発信処理後、タイマー部１１１を介して４分３０秒に設定された通話監視タイマーを再度起動する（Ｓ３２５）。
【００８４】
自装置宛の電話番号で着信したＩＰ−ＰＢＸ２は、携帯電話機１との間でゲートウェイ６、移動通信制御局７を介して固定電話、携帯電話の応答に係る携帯電話応答・固定電話応答処理を行い（Ｓ３２７、Ｓ３２８）、モバイル音声通信でも音声データを送受信する（モバイル音声通信での通話中）。
【００８５】
携帯電話機１がモバイル音声通信とモバイルデータ通信の両方でＩＰ−ＰＢＸ２と通話状態になったならば、電話機９へ送信する音声データの切替を要求する切替要求メッセージをＩＰ−ＰＢＸ２へ送信する（Ｓ３２９）。
【００８６】
切替要求メッセージを受信したＩＰ−ＰＢＸ２は、切替要求メッセージを受信したことを相手へ伝える切替要求応答メッセージを携帯電話機１へ送信し（Ｓ３３０）、電話機９から受信している音声データを携帯電話機１のモバイル音声通信側へ送信し、携帯電話機１のモバイル音声通信側から受信している音声データを電話機９へ送信するように音声パスを切り替える。つまり、モバイルデータ通信での呼（モバイルデータ通信での通話中）をモバイル音声通信での呼（モバイル音声通信での通話中）に切り替える。
【００８７】
音声パスを切替えた後、ＩＰ−ＰＢＸ２は、携帯電話機１との間でゲートウェイ６、移動通信制御局７を介してＳＩＰの切断に係る切断処理を行う（Ｓ３３１）。
【００８８】
以後、Ｓ３１８〜Ｓ３３１までの処理を繰り返すことで、音声パスを切り替える間だけのわずかなデータ通信量で通話することが可能となる。
【００８９】
図５は、本発明のＩＰ電話システムにおける通話監視タイマー満了後、通話が無音状態中に音声パスを切り替える動作を説明するシーケンス図である。図５のシーケンスに示す動作は以下のとおりである。
【００９０】
携帯電話機１が起動したタイマー部１１１の通話監視タイマーが満了したならば（Ｓ４００）、電話制御部１０４が無音監視部１１０へ指示して、携帯電話機１が送受信している音声データが無音か監視し、例えば、２５秒の無音監視タイマーをタイマー部１１１で起動する（Ｓ４０１）。
なお、通話監視タイマーと無音監視タイマーをあわせた時間が５分未満であれば無音監視タイマーの時間はいくつでもよい。
【００９１】
無音監視部１１０が無音を検知するか、又は、２５秒の無音監視タイマーが満了したならば、携帯電話機１はモバイルデータ通信を用いて、ＩＰ−ＰＢＸ２との間でＳＩＰの発信〜応答に係わるＳＩＰ処理を行い（Ｓ４０３）、モバイルデータ通信でも音声データを送受信する。この時の発信先番号はＩＰ−ＰＢＸ２である。
【００９２】
携帯電話機１がモバイル音声通信とモバイルデータ通信両方でＩＰ−ＰＢＸ２と通話状態になったならば、電話機９へ送信する音声データの切替を要求する切替要求メッセージをＩＰ−ＰＢＸ２へ送信する（Ｓ４０４）。
【００９３】
切替要求メッセージを受信したＩＰ−ＰＢＸ２は、切替要求メッセージを受信したことを相手へ伝える切替要求応答メッセージを携帯電話機１へ送信する（Ｓ４０５）。そして、電話機９から受信している音声データを携帯電話機１のモバイルデータ通信側へ送信し、携帯電話機１のモバイルデータ通信側から受信している音声データを電話機９へ送信するように音声パスを切り替える。つまり、モバイル音声通信での通話をモバイルデータ通信での通話に切り替える。
このようにモバイル音声通信での通話およびモバイルデータ通信での通話を行っていない時に音声パスを切り替えることで通話への影響を抑える。
【００９４】
図６（Ａ）〜図６（Ｂ）は、本発明のＩＰ電話システムにおける携帯電話機１の通話料金が有料時の発信動作を説明するシーケンス図である。図６（Ａ）、（Ｂ）のシーケンス動作は以下のとおりである。
【００９５】
まず、携帯電話機１の電源を投入すると、携帯電話機１は、移動通信制御局７との間でモバイルデータ通信接続処理を実施し、移動通信制御局７との間に通信パスを確立する（Ｓ５００）。
【００９６】
併せて、無線ＡＰ８からビーコンを受信できている場合は、無線ＡＰ８に接続するためのＷｉ−Ｆｉ通信接続処理を実施する。しかし、ここでは、ビーコンを受信できずにＷｉ−Ｆｉ通信接続処理が失敗していることとする（Ｓ５０１）。
【００９７】
次に、Ｓ５０２でＩＰ−ＰＢＸ２内におけるＳＩＰサーバへの登録に係わるＳＩＰ処理が行われる。
ＳＩＰサーバ登録後に、発信操作が行われた場合は、発信先の電話番号を情報記憶部１１２へ記憶する（Ｓ５０３）。
【００９８】
発信先の電話番号を情報記憶部１１２へ記憶した後、携帯電話機１は、自端末のＷｉ−Ｆｉ接続状態を確認する（Ｓ５０４）。
【００９９】
Ｗｉ−Ｆｉ接続状態が未接続であったならば、自携帯電話機の契約プラン情報を取得するためにモバイルデータ通信を利用し、契約プラン情報要求メッセージを移動通信制御局７、ゲートウェイ６を経由して契約キャリアのＷＥＢサーバ１０へ送信する（Ｓ５０５）。
【０１００】
ここで、Ｗｉ−Ｆｉが接続している場合は、通信料金のかからない無線ＡＰ８を経由した通信が使用可能なため、発信操作時は無線ＡＰ８を経由したＷｉ−Ｆｉ通信を利用してＩＰ−ＰＢＸとの間でＳＩＰ（Session Initiation Protocol）の発信に係わるＳＩＰ処理を行う。
なお、このシステムの一例では、呼制御プロトコルとしてＳＩＰを利用しているが、他のプロトコルを利用しても良い。
【０１０１】
契約プラン情報要求メッセージを受信したキャリアのＷＥＢサーバ１０は、契約プラン情報が格納された契約プラン情報通知メッセージをゲートウェイ６、移動通信制御局７を経由して携帯電話機１へ送信する（Ｓ５０６）。
【０１０２】
契約プラン情報通知メッセージを携帯電話機１が受信したならば、受信した契約プラン情報と図８に示す発信方法選択テーブルから発信方法を判定する（Ｓ５０７）。
ここでは、契約プラン情報が「通話有料プラン」であったとし、「IP-PBXへ自端末への発信を指示する発信方法」が選択されたこととする。
【０１０３】
「IP-PBXへ自端末への発信を指示する発信方法」が選択された場合は、モバイルデータ通信を利用して電話機９への発信を要求するＳＩＰのＲＥＦＥＲリクエストメッセージを移動通信制御局７とゲートウェイ６を介してＩＰ−ＰＢＸ２へ送信する（Ｓ５０８）。
【０１０４】
電話機９への発信を要求するＳＩＰのＲＥＦＥＲリクエストメッセージを受信したＩＰ−ＰＢＸ２は、２０２Ａｃｃｅｐｔｅｄレスポンスメッセージを移動通信制御局７とゲートウェイ６を介して携帯電話機１へ送信し（Ｓ５０９）、電話機９との間でＳＩＰの発信に係わるＳＩＰ処理を行う（Ｓ５１０）。
【０１０５】
その後、電話機９が応答したならば、電話機９とＩＰ−ＰＢＸ２との間でＳＩＰの応答に係わるＳＩＰ処理を行い（Ｓ５１１）、音声データを送受信する。
【０１０６】
ＩＰ−ＰＢＸ２は、電話機９と応答処理を行った後、ＳＩＰのＲＥＦＥＲリクエストメッセージが成功したことを通知するＮＯＴＩＦＹリクエストメッセージを移動通信制御局７とゲートウェイ６を介して携帯電話機１へ送信する（Ｓ５１２）。
【０１０７】
ＮＯＴＩＦＹリクエストメッセージを受信した携帯電話機１は、２００ＯＫレスポンスメッセージを移動通信制御局７とゲートウェイ６を介してＩＰ−ＰＢＸ２へ送信する（Ｓ５１３）。
【０１０８】
ＩＰ−ＰＢＸ２は、ＮＯＴＩＦＹリクエストメッセージを送信した後、携帯電話機１との間で固定電話、携帯電話の発信〜応答に係る発信〜応答処理を行い（Ｓ５１４、Ｓ５１５）、モバイル音声通信で音声データを送受信する。
【０１０９】
ＩＰ−ＰＢＸ２は、携帯電話機１、電話機９の両方と通話状態になったならば、携帯電話機１から受信した音声データを電話機９へ、電話機９から受信した音声データを携帯電話機１へ送信する。
【０１１０】
ＩＰ−ＰＢＸ２を介して電話機９と通話状態になった携帯電話機１は、Ｗｉ−Ｆｉ接続状態監視部１０９を起動して、自携帯電話機のＷｉ−Ｆｉ接続状態を監視する（Ｓ５１６）。
【０１１１】
携帯電話機１が無線ＡＰ８のビーコンを受信し、無線ＡＰ８との間でＷｉ−Ｆｉ通信接続処理が成功したならば（Ｓ５１７）、Ｗｉ−Ｆｉ接続状態監視部１０９がＷｉ−Ｆｉ接続を検知し（Ｓ５１８）、ＩＰ−ＰＢＸ２との間で、無線ＡＰ８を介してＳＩＰの発信〜応答に係わるＳＩＰ処理を行い（Ｓ５１９）、Ｗｉ−Ｆｉ通信でも音声データを送受信する。
携帯電話機１が無線ＡＰ８のビーコンを受信しない場合は、モバイル音声通信での通話を継続する。
【０１１２】
携帯電話機１がモバイル音声通信とＷｉ−Ｆｉ通信両方でＩＰ−ＰＢＸ２と通話状態になったならば、電話機９へ送信する音声データの切替を要求する切替要求メッセージを、無線ＡＰ８を介してＩＰ−ＰＢＸ２へ送信する（Ｓ５２０）。
【０１１３】
切替要求メッセージを受信したＩＰ−ＰＢＸ２は、切替要求メッセージを受信したことを相手へ伝える切替要求応答メッセージを携帯電話機１へ送信する（Ｓ５２１）。そして、電話機９から受信している音声データを携帯電話機１のＷｉ−Ｆｉ通信側へ送信し、携帯電話機１のＷｉ−Ｆｉ通信側から受信している音声データを電話機９へ送信するように音声パスを切り替える。
【０１１４】
音声パスを切替えた後ＩＰ−ＰＢＸ２は、携帯電話機１との間でゲートウェイ６、移動通信制御局７を介して固定電話、携帯電話の切断に係る切断処理を行う（Ｓ５２２、Ｓ５２３）。
【０１１５】
ＩＰ−ＰＢＸ２から電話をかけてもらっている状態で通話を継続すると、ＩＰ−ＰＢＸ２側（会社側）で通話料金が発生してしまう。しかし、携帯電話機１がＷｉ−Ｆｉ通信利用可能な状況の場合、無料で通話可能なため、携帯電話機１がＷｉ−Ｆｉ通信で電話をかけ直すことでＩＰ−ＰＢＸ２側の通話料金を抑えることができる。
【０１１６】
図７（Ａ）〜図７（Ｂ）は、本発明のＩＰ電話システムにおいて携帯電話機１がＷｉ−Ｆｉ通信でＩＰ−ＰＢＸ２を介して電話機９と通話状態にＷｉ−Ｆｉの電波強度が低下した場合におけるシーケンス図である。図７（Ａ）、（Ｂ）のシーケンス動作は以下のとおりである。
【０１１７】
携帯電話機１がＷｉ−Ｆｉ通信でＩＰ−ＰＢＸ２を介して電話機９と通話状態に、Ｗｉ−Ｆｉ接続状態監視部１０９が監視している無線ＡＰ８との間の電波強度が、あらかじめ設定された値以下になったことを検知したならば（Ｓ６００）、ＩＰ−ＰＢＸ２との間でＷｉ−Ｆｉ通信からモバイルデータ通信へ切り替えるハンドオーバー処理を行う（Ｓ６０１）。
【０１１８】
ハンドオーバー処理後、モバイルデータ通信を利用して携帯電話機１への発信を要求するＳＩＰのＲＥＦＥＲリクエストメッセージを移動通信制御局７とゲートウェイ６を介してＩＰ−ＰＢＸ２へ送信する（Ｓ６０２）。
【０１１９】
携帯電話機１への発信を要求するＳＩＰのＲＥＦＥＲリクエストメッセージを受信したＩＰ−ＰＢＸ２は、２０２ Ａｃｃｅｐｔｅｄレスポンスメッセージを移動通信制御局７とゲートウェイ６を介して携帯電話機１へ送信し（Ｓ６０３）、携帯電話機１との間で固定電話、携帯電話の発信〜応答に係わる発信〜応答処理を行う（Ｓ６０４、Ｓ６０５）。
【０１２０】
ＩＰ−ＰＢＸ２は、電話機９と発信〜応答処理を行った後、ＳＩＰのＲＥＦＥＲリクエストメッセージが成功したことを通知するＮＯＴＩＦＹリクエストメッセージをゲートウェイ６と移動通信制御局７と介して携帯電話機１へ送信する（Ｓ６０６）。
【０１２１】
ＮＯＴＩＦＹリクエストメッセージを受信した携帯電話機１は、２００ＯＫレスポンスメッセージを移動通信制御局７とゲートウェイ６を介してＩＰ−ＰＢＸ２へ送信する（Ｓ６０７）。
【０１２２】
携帯電話機１がモバイル音声通信とモバイルデータ通信両方でＩＰ−ＰＢＸ２と通話状態になったならば、電話機９へ送信する音声データの切替を要求する切替要求メッセージを、移動通信制御局７とゲートウェイ６を介してＩＰ−ＰＢＸ２へ送信する（Ｓ６０８）。
【０１２３】
切替要求メッセージを受信したＩＰ−ＰＢＸ２は、切替要求メッセージを受信したことを相手へ伝える切替要求応答メッセージを、携帯電話機１へゲートウェイ６と移動通信制御局７を介して送信する（Ｓ６０９）。そして、電話機９から受信している音声データを携帯電話機１のモバイル音声通信側へ送信し、携帯電話機１のモバイル音声通信側から受信している音声データを電話機９へ送信するように音声パスを切り替える。
【０１２４】
音声パスを切替えた後、ＩＰ−ＰＢＸ２は、携帯電話機１との間でゲートウェイ６、移動通信制御局７を介してＳＩＰの切断に係るＳＩＰ処理を行う（Ｓ６１０）。
【０１２５】
Ｗｉ−Ｆｉ通信からモバイルデータ通信へ切り替えた場合に、モバイルデータ通信をそのまま使用し続けると携帯電話機１のデータ通信量が増えてしまうため、ハンドオーバー処理後にＩＰ−ＰＢＸ２から電話をかけてもらうことで携帯電話機１の料金負担を抑える。個人の携帯電話機を会社で利用するため、会社よりも個人の料金負担を抑えることを優先する。
【０１２６】
図８は、発信方法選択テーブルのデータ構成を説明する図である。
発信方法選択テーブルは、情報記憶部１１２に保存されている。
発信方法選択テーブルは、例えば、携帯電話機１を扱う各携帯キャリアの契約プランの内容（契約プラン情報）が格納される領域８１、契約プランの通話料金が格納される領域８２、発信方法の内容が格納される領域８３、などを含み、これらの各データは、紐付けてあらかじめ設定してある。
【０１２７】
契約プランとしては、例えば、無制限で通話料金が無料の「通話無料プラン」、通話料金が５分間無料の「５分間通話無料プラン」や通話料金が有料の「通話有料プラン」などである。発信方法としては、携帯電話の一般的な発信方法を示す「携帯電話網のモバイル音声通信を用いた発信方法」、図４に記載の発信方法を示す「携帯電話網のモバイル音声通信とデータ通信の両方を用いた発信方法」、図６に記載の発信方法を示す「IP-PBXへ自端末への発信を指示する発信方法」などである。
【０１２８】
以上述べた実施例のように個人所有の電話機能を有する携帯電話機１が無線ＡＰ８に接続の場合には、無線ＡＰ８のインターネット回線を経由してＩＰ−ＰＢＸ２にアクセスし発信通話を行い、無線ＡＰ８に未接続の場合には、携帯電話機１の契約プラン情報を取得、参照し、且つ、通話無料プランの場合、携帯電話回線を使用して音声通信し、５分間通話無料プランの場合は、ＩＰ−ＰＢＸ２経由で発信し、５分間経過前に携帯電話回線を使用したデータ通信での通話に切り替えて、音声通信を切断し、切替え後、再度音声通信を利用してＩＰ−ＰＢＸ２経由の発信を行い、音声通信での通話に切り替えデータ通信での通話を切断する動作を繰り返すことにより、通話料金がかからないようにすることができる。
また、上記以外の通話有料プランの場合は、発信操作時にデータ通信を利用してＩＰ−ＰＢＸ２へ発信先番号が格納された発信指示を通知し、発信指示を受信したＩＰ−ＰＢＸ２は格納された発信先番号を元に電話機９へ発信し、発信先が応答したら直ぐに携帯電話機１へ発信し、携帯電話機１が自動で応答してＩＰ−ＰＢＸ側で発信先と携帯電話機１の音声パスを通すことで発信先と通話を可能とすることにより、個人、会社の双方のコスト負担の軽減や発信操作の手間を従来よりも少なくでき、個人所有の携帯端末を会社の内線端末として利用することができる。
【符号の説明】
【０１２９】
１  携帯電話機
１００  無線通信部
１０１  無線ＬＡＮ通信部
１０２  モバイル音声通信処理部
１０３  モバイルデータ通信処理部
１０４  電話制御部
１０５  呼制御部
１０６  音声データ処理部
１０７  ＳＩＰ処理部
１０８  キャリア契約情報確認部
１０９  Ｗｉ−Ｆｉ接続状態監視部
１１０  無音監視部
１１１  タイマー部
１１２  情報記憶部
１１３  マンマシンＩＦ部
２  ＩＰ−ＰＢＸ
２００  外線ＩＦ部
２０１  ＷＡＮＩＦ部
２０２  回線交換部
２０３  呼制御部
２０４  音声データ処理部
２０５  ＳＩＰ処理部
２０６  内線情報保存部
２０７  発信先番号保存部
３  公衆電話網
４  携帯電話網
５  インターネット網
６  ゲートウェイ
７  移動通信制御局
８  無線ＡＰ
９  電話機
１０  ＷＥＢサーバ
【図１】
2019115005.tif 000003
【図２】
2019115005.tif 000004
【図３】
2019115005.tif 000005
【図４Ａ】
2019115005.tif 000006
【図４Ｂ】
2019115005.tif 000007
【図４Ｃ】
2019115005.tif 000008
【図５】
2019115005.tif 000009
【図６Ａ】
2019115005.tif 000010
【図６Ｂ】
2019115005.tif 000011
【図７Ａ】
2019115005.tif 000012
【図７Ｂ】
2019115005.tif 000013
【図８】
2019115005.tif 000014